(57)【要約】【課題】大容量でも抽出時の安定性が高いドリッパーを提供する。【解決手段】ドリッパーＸ１は、袋状のフィルター２と、そのフィルター２が内部に位置する状態で折り畳み可能に形成された筒状の支持体３と、を有する。筒状の支持体３は、一方の開口を構成する第１開口部７と、他方の開口を構成する第２開口部８と、を有しており、支持体３を折り畳み状態から筒状の開状態にするとフィルター２が開口するように、第１開口部７にフィルター開口部９が取り付けられている。第２開口部８には、支持体３の折り畳み状態において、両側の折り曲げ位置に設けられた第１突出部１１と、両側の折り曲げ位置の間に設けられた第２突出部１２と、第１突出部１１側から第２突出部１２側へ延びるように設けられた脚部１３と、が形成されている。脚部１３は、支持体３の開状態において支持体３の移動を制限するために屈曲した形状を有している。【選択図】図１
2020130550.tif 000002
【特許請求の範囲】
【請求項１】
袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第２開口部に複数の突出部と複数の脚部が形成されており、
前記突出部が、前記支持体の折り畳み状態において両側の折り曲げ位置の間に設けられており、
前記脚部が、前記支持体の折り畳み状態において両側の折り曲げ位置側から前記突出部側へ延びるように形成されていることを特徴とするドリッパー。
【請求項２】
前記突出部又は前記脚部の位置が制限されることにより、前記支持体の形状が筒状の開状態に固定されることを特徴とする請求項１記載のドリッパー。
【請求項３】
前記支持体が筒状の開状態にあるとき、前記第２開口部よりも外側に前記脚部が位置することを特徴とする請求項１又は２記載のドリッパー。
【請求項４】
前記支持体が折り曲げられた１枚のブランク板により形成されていることを特徴とする請求項１〜３のいずれか１項に記載のドリッパー。
【請求項５】
前記突出部と前記脚部とが同一の切り込みにより形成されたものであることを特徴とする請求項４記載のドリッパー。
【請求項６】
前記切り込みにおいて前記第１開口部に最も近い位置から前記突出部において前記第１開口部から最も遠い位置までの距離と、前記切り込みにおいて前記第１開口部に最も近い位置から前記脚部において前記第１開口部から最も遠い位置までの距離と、が等しいことを特徴とする請求項５記載のドリッパー。
【請求項７】
前記切り込みにおいて前記第１開口部に最も近い位置から前記突出部において前記第１開口部から最も遠い位置までの距離が、前記切り込みにおいて前記第１開口部に最も近い位置から前記脚部において前記第１開口部から最も遠い位置までの距離よりも短いことを特徴とする請求項５記載のドリッパー。
【請求項８】
袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第２開口部に複数の突出部と複数の脚部が形成されており、
前記突出部として、前記支持体の折り畳み状態において、両側の折り曲げ位置に設けられた第１突出部と、前記両側の折り曲げ位置の間に設けられた第２突出部と、を有し、
前記脚部が、前記支持体の折り畳み状態において前記第１突出部側から前記第２突出部側へ延びるように形成されており、前記支持体の開状態において前記支持体の移動を制限するために屈曲した形状を有することを特徴とするドリッパー。
【請求項９】
前記第１突出部，前記第２突出部又は前記脚部の位置が制限されることにより、前記支持体の形状が筒状の開状態に固定されることを特徴とする請求項８記載のドリッパー。
【請求項１０】
前記支持体が筒状の開状態にあるとき、前記第２開口部よりも外側に前記脚部が位置することを特徴とする請求項８又は９記載のドリッパー。
【請求項１１】
前記支持体が折り曲げられた１枚のブランク板により形成されていることを特徴とする請求項８〜１０のいずれか１項に記載のドリッパー。
【請求項１２】
前記第２突出部と前記脚部とが同一の切り込みにより形成されたものであることを特徴とする請求項１１記載のドリッパー。
【請求項１３】
前記切り込みにおいて前記第１開口部に最も近い位置から前記第２突出部において前記第１開口部から最も遠い位置までの距離と、前記切り込みにおいて前記第１開口部に最も近い位置から前記脚部において前記第１開口部から最も遠い位置までの距離と、が等しいことを特徴とする請求項１２記載のドリッパー。
【請求項１４】
前記フィルター内に被抽出成分を有する内容物が封入されていることを特徴とする請求項１〜１３のいずれか１項に記載のドリッパー。
【発明の詳細な説明】
【技術分野】
【０００１】
本発明はドリッパーに関するものであり、例えば、被抽出成分を有する内容物（例えば、レギュラーコーヒー粉，紅茶の葉，緑茶の葉等）を濾すときに使用するドリッパー、及び被抽出成分を有する内容物が予め収納されたドリッパーに関するものである。
【背景技術】
【０００２】
レギュラーコーヒー粉を収納する袋状のフィルターと、そのフィルターをカップ上に位置させる筒状の支持体（スリーブ状の台紙）と、からなる使い捨てタイプのコーヒードリッパーが、従来より知られている。支持体は厚紙からなっていることが多く、使用前の支持体は内側にフィルターが取り付けられた状態で折り畳まれている。コーヒーを淹れる際には、支持体を折り畳まれた状態から筒状の開状態にした後、カップ上にドリッパーを載置して、フィルター内にレギュラーコーヒー粉を投入する。フィルター内にレギュラーコーヒー粉が予め封入されているタイプでは、フィルターを開封し、支持体を折り畳まれた状態から筒状の開状態にした後、カップ上にドリッパーを載置する。いずれの場合も、フィルター内に熱湯を注ぐと、抽出されたコーヒーがフィルターを通過してカップ内に溜まることになる。
【０００３】
上記のようなコーヒードリッパーには、大容量化が求められている。大容量化した場合に問題となるのが、コーヒー抽出時のドリッパーの安定性である。従来より様々なタイプのドリッパーが提案されているが、例えば、特許文献１〜３に記載のドリッパーには、支持体の下部に突出部を設けて、コーヒー抽出時のドリッパーを安定させる工夫が施されている。
【先行技術文献】
【特許文献】
【０００４】
【特許文献１】特開２００４−７１１号公報
【特許文献２】特開２０１０−９９４６２号公報
【特許文献３】特開２００４−１９５１９８号公報
【発明の概要】
【発明が解決しようとする課題】
【０００５】
特許文献１や特許文献２に記載のドリッパーでは、対向する２対の突出部がカップの縁の内側と外側に配置され、両サイドに設けられたロック機構でドリッパー形状が開状態に固定される。このため、カップにドリッパーを固定したようなロック感が得られるが、ロック機構でドリッパーがカップに固定されるわけではない。したがって、大容量のドリッパーほどコーヒー抽出時の安定性が低下することになる。例えば、コーヒー抽出時に勢いよく湯を注ぐと、ドリッパーが倒れるおそれがある。
【０００６】
特許文献３に記載のドリッパーでは、支持体の両サイドにおいて対向する１対の突出部がカップの縁の内側に配置され、支持体の下部に設けられている２対の脚部がカップの縁の外側に配置される。しかし、脚部ではカップを外側から強く押さえ込むことは困難であり、１対の突出部ではドリッパーを安定させることは困難である。したがって、大容量のドリッパーほどコーヒー抽出時の安定性が低下してしまい、特許文献１，２と同様、コーヒー抽出時に勢いよく湯を注ぐと、ドリッパーが倒れるおそれがある。
【０００７】
本発明はこのような状況に鑑みてなされたものであって、その目的は、大容量でも抽出時の安定性が高いドリッパーを提供することにある。
【課題を解決するための手段】
【０００８】
上記目的を達成するために、第１の発明のドリッパーは、袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第２開口部に複数の突出部と複数の脚部が形成されており、
前記突出部が、前記支持体の折り畳み状態において両側の折り曲げ位置の間に設けられており、
前記脚部が、前記支持体の折り畳み状態において両側の折り曲げ位置側から前記突出部側へ延びるように形成されていることを特徴とする。
【０００９】
第２の発明のドリッパーは、上記第１の発明において、前記突出部又は前記脚部の位置が制限されることにより、前記支持体の形状が筒状の開状態に固定されることを特徴とする。
【００１０】
第３の発明のドリッパーは、上記第１又は第２の発明において、前記支持体が筒状の開状態にあるとき、前記第２開口部よりも外側に前記脚部が位置することを特徴とする。
【００１１】
第４の発明のドリッパーは、上記第１〜第３のいずれか１つの発明において、前記支持体が折り曲げられた１枚のブランク板により形成されていることを特徴とする。
【００１２】
第５の発明のドリッパーは、上記第４の発明において、前記突出部と前記脚部とが同一の切り込みにより形成されたものであることを特徴とする。
【００１３】
第６の発明のドリッパーは、上記第５の発明において、前記切り込みにおいて前記第１開口部に最も近い位置から前記突出部において前記第１開口部から最も遠い位置までの距離と、前記切り込みにおいて前記第１開口部に最も近い位置から前記脚部において前記第１開口部から最も遠い位置までの距離と、が等しいことを特徴とする。
【００１４】
第７の発明のドリッパーは、上記第５の発明において、前記切り込みにおいて前記第１開口部に最も近い位置から前記突出部において前記第１開口部から最も遠い位置までの距離が、前記切り込みにおいて前記第１開口部に最も近い位置から前記脚部において前記第１開口部から最も遠い位置までの距離よりも短いことを特徴とする。
【００１５】
第８の発明のドリッパーは、袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、を有しており、
前記支持体を折り畳み状態から筒状の開状態にすると前記フィルターが開口するように、前記第１開口部に前記フィルターの開口部が取り付けられており、
前記第２開口部に複数の突出部と複数の脚部が形成されており、
前記突出部として、前記支持体の折り畳み状態において、両側の折り曲げ位置に設けられた第１突出部と、前記両側の折り曲げ位置の間に設けられた第２突出部と、を有し、
前記脚部が、前記支持体の折り畳み状態において前記第１突出部側から前記第２突出部側へ延びるように形成されており、前記支持体の開状態において前記支持体の移動を制限するために屈曲した形状を有することを特徴とする。
【００１６】
第９の発明のドリッパーは、上記第８の発明において、前記第１突出部，前記第２突出部又は前記脚部の位置が制限されることにより、前記支持体の形状が筒状の開状態に固定されることを特徴とする。
【００１７】
第１０の発明のドリッパーは、上記第８又は第９の発明において、前記支持体が筒状の開状態にあるとき、前記第２開口部よりも外側に前記脚部が位置することを特徴とする。
【００１８】
第１１の発明のドリッパーは、上記第８〜第１０のいずれか１つの発明において、前記支持体が折り曲げられた１枚のブランク板により形成されていることを特徴とする。
【００１９】
第１２の発明のドリッパーは、上記第１１の発明において、前記第２突出部と前記脚部とが同一の切り込みにより形成されたものであることを特徴とする。
【００２０】
第１３の発明のドリッパーは、上記第１２の発明において、前記切り込みにおいて前記第１開口部に最も近い位置から前記第２突出部において前記第１開口部から最も遠い位置までの距離と、前記切り込みにおいて前記第１開口部に最も近い位置から前記脚部において前記第１開口部から最も遠い位置までの距離と、が等しいことを特徴とする。
【００２１】
第１４の発明のドリッパーは、上記第１〜第１３のいずれか１つの発明において、前記フィルター内に被抽出成分を有する内容物が封入されていることを特徴とする。
【発明の効果】
【００２２】
本発明によれば、突出部と脚部でドリッパーの重心が全体的に低くなって安定性が向上し、さらに、突出部又は脚部でカップの縁が押さえ込まれることにより、カップに対するドリッパーの装着状態が安定化される。したがって、大容量でも抽出時の安定性が高いドリッパーを実現することができる。
【図面の簡単な説明】
【００２３】
【図１】ドリッパーの第１の実施の形態を折り畳み状態で示す正面図。
【図２】図１のドリッパーを筒状の開状態で示す正面図。
【図３】図１のドリッパーを筒状の開状態で示す側面図。
【図４】図１のドリッパーを筒状の開状態で示す上面図。
【図５】図１のドリッパーを構成している支持体のブランク板を示す平面図。
【図６】ドリッパーの第２の実施の形態を折り畳み状態で示す正面図。
【図７】図６のドリッパーを筒状の開状態で示す正面図。
【図８】図６のドリッパーを筒状の開状態で示す側面図。
【図９】図６のドリッパーを筒状の開状態で示す上面図。
【図１０】図６のドリッパーを構成している支持体のブランク板を示す平面図。
【図１１】ドリッパーの第３の実施の形態を折り畳み状態で示す正面図。
【図１２】図１１のドリッパーを筒状の開状態で示す正面図。
【図１３】図１１のドリッパーを筒状の開状態で示す側面図。
【図１４】図１１のドリッパーを筒状の開状態で示す上面図。
【図１５】図１１のドリッパーを構成している支持体のブランク板を示す平面図。
【発明を実施するための形態】
【００２４】
以下、本発明の実施の形態に係るドリッパー等を、図面を参照しつつ説明する。なお、各実施の形態や具体例等の相互で同一の部分や相当する部分には同一の符号を付して重複説明を適宜省略する。
【００２５】
図１に第１の実施の形態に係るドリッパーＸ１の外観を折り畳み状態で示し、図２〜図４にそのドリッパーＸ１の外観を筒状の開状態で示す。図１及び図２はドリッパーＸ１の正面図であり、図３はドリッパーＸ１の側面図であり、図４はドリッパーＸ１の上面図である。ドリッパーＸ１は、袋状のフィルター２と、そのフィルター２が内部に位置する状態で折り畳み可能に形成された筒状の支持体（スリーブ状の台紙）３と、を有する構成になっている。このドリッパーＸ１は、支持体３が折り畳み可能であることから携帯に適しており、廃棄の容易な材料で構成可能な簡易構造を有することから使い捨てに適している。つまり、携帯可能な使い捨てタイプでありながら、例えばドリップコーヒーを簡易に淹れることができるという長所を有している。
【００２６】
被抽出成分を有する内容物１８（図４；例えば、レギュラーコーヒー粉，紅茶の葉，緑茶の葉等）は、使用時にフィルター２内に収納されるか、あるいはフィルター２内に予め封入される。フィルター２の材料としては、袋状にする際の加工性を考慮して、熱接着性を素材に有するシート材料、片面（袋状にしたときの最内層）に熱接着性を有するシート材料等を用いることが好ましい。例えば、ポリオレフィン系（ポリエチレン，ポリプロピレン等），ポリエステル系等の材料からなる透水性不織布、ポリオレフィン系（ポリエチレン，ポリプロピレン等），ポリエステル系等の熱可塑性樹脂を片面（袋状にしたときの最内層）に含有する多層構造の濾紙等が挙げられる。袋状の加工は、上記シート材料を２つ折り又はガセット折りすることにより重ね合わせ、所定形状に熱接着し、裁断・型抜きすることにより行われる。
【００２７】
フィルター２を所定の形状に保ちながら、カップ１７（図２〜図４）上にセットすることを可能としているのが、筒状の支持体３である。この支持体３は、図２〜図４に示すように、一方の開口７ａを構成する第１開口部７と、他方の開口８ａを構成する第２開口部８と、を有しており、支持体３を折り畳み状態（図１）から筒状の開状態（図２〜図４）にするとフィルター２が開口するように、第１開口部７にフィルター開口部９（図４）が取り付けられている。このフィルター２の取り付けは、支持体３内にフィルター２を挿入し、支持体３の第１開口部７の縁で外側へ折り返し、その折り返し部分を支持体３の外面に貼り着けることにより行われる。このようにフィルター２を取り付けると、使用時に支持体３を筒状の開状態（図２〜図４）にした際、フィルター２が大きく開口して注湯やドリップに適した状態となる。
【００２８】
ドリッパーＸ１の支持体３は、図５に示す１枚のブランク板３Ａの折り曲げ等により形成されている。図５は支持体３の展開図であり、ブランク板３Ａは、板状のシート材料を展開図（図５）のように打ち抜くことにより形成される。ブランク板３Ａの材質は特に限定されるものではないが、例えば、耐水カード紙，アイボリー紙等の厚紙や両面（特に支持体３の内側面）に樹脂（ポリエチレン等）が塗布された厚紙を、シート材料として用いることができる。なお、樹脂が塗布された厚紙でブランク板３Ａを構成すると、支持体３に熱湯や湯気がかかっても、その剛性の低下を防止することができる。
【００２９】
ブランク板３Ａ（図５）は、折り曲げ線Ｌ１を境界とする３つの部分、つまり前面板４と背面板５と糊代片６とで構成されている。前面板４と背面板５には、への字形状に屈曲した切り込み１４と、Ｖ字形状の切欠き１５と、扇形状の孔１６と、折り曲げ線Ｌ２，Ｌ３と、凹部Ｎと、が左右対称にそれぞれ設けられている。切欠き１５は、支持体３の第１開口部７（図１等）に相当する部分に位置しており、切り込み１４は、支持体３の第２開口部８（図１等）に相当する部分に位置しており、孔１６はその中間に位置している。折り曲げ線Ｌ１〜Ｌ３の具体例としては、押し罫，切り罫，ミシン罫，リード罫等の罫線が挙げられる。なお、支持体３内にフィルター２を取り付ける際、孔１６を通してフィルター２を押さえることにより、支持体３に対するフィルター２の相対的な位置ズレを効果的に抑えることができる。
【００３０】
支持体３の第２開口部８（図１等）に相当する部分には、図５に示すように、２つの第１突出部１１と、２つの第２突出部１２と、４つの脚部１３と、が形成されている。つまり、各折り曲げ線Ｌ１の位置に第１突出部１１が形成されており、２本の折り曲げ線Ｌ１の位置の中間に第２突出部１２が形成されており、第１突出部１１と第２突出部１２との間には、第１突出部１１側から第２突出部１２側へ延びるように脚部１３が形成されている。凹部Ｎは各脚部１３の第１突出部１１側に形成されており、第２突出部１２と脚部１３とは同一の切り込み１４により形成されている。つまり、凹部Ｎと切り込み１４によって、脚部１３が支持体３の第２開口部８側に屈曲した形状に形成されている。凹部Ｎと切り込み１４を用いることにより、ブランク板３Ａを形成する際のシート材料の無駄を抑えることができる。
【００３１】
ドリッパーＸ１の支持体３では、図１等に示すように、切り込み１４において第１開口部７に最も近い位置から第２突出部１２において第１開口部７から最も遠い位置までの距離と、切り込み１４において第１開口部７に最も近い位置から脚部１３において第１開口部７から最も遠い位置までの距離と、が等しくなっている。言い換えれば、第２突出部１２と脚部１３において、第２開口部８側の端部が一直線状に形成されている。これにより、ドリッパーＸ１の安定性が向上するとともに、折り畳み状態におけるドリッパーＸ１のコンパクト化も可能となる。
【００３２】
ドリッパーＸ１の支持体３を組み立てる際には、まず、前面板４と背面板５との境界の折り曲げ線Ｌ１に沿ってブランク板３Ａを折り曲げて、前面板４と背面板５とが重なった状態にする。次に、前面板４と糊代片６との境界の折り曲げ線Ｌ１に沿ってブランク板３Ａを折り曲げて、糊代片６が背面板５に重なった状態とする。その状態で背面板５に糊代片６を接着すると、ブランク板３Ａは筒状となって折り畳み状態の支持体３が得られる。さらに、支持体３内にフィルター２を取り付けると、前述したように折り畳み状態のドリッパーＸ１（図１）が得られる。
【００３３】
各折り曲げ線Ｌ１に沿ったブランク板３Ａの折り曲げによって、各折り曲げ線Ｌ１の位置に折り目Ｍ１（図１）が形成される。つまり、支持体３の折り畳み状態において、両側の折り曲げ位置が折り目Ｍ１の形成位置となる。したがって、支持体３の折り畳み状態においては、第１突出部１１が折り目Ｍ１に位置し、第２突出部１２が両側の折り目Ｍ１の中間に位置し、脚部１３が第１突出部１１側から第２突出部１２側へ延びるように位置することになる。その折り畳み状態の支持体３（図１）に対して、左右の折り目Ｍ１を互いに近づく方向に押圧すると、切欠き１５の下端と孔１６の上端及び下端に力が集中する。このため、折り曲げ線Ｌ２，Ｌ３に沿ってブランク板３Ａを簡単に折り曲げることができる。
【００３４】
上記折り曲げにより、各折り曲げ線Ｌ２，Ｌ３の位置に折り目Ｍ２，Ｍ３（図２，図３）が形成されて、図４に示すように、支持体３の第１開口部７及び第２開口部８で六角形の開口７ａ，８ａが形成される。そして、支持体３が筒状の開状態（図２〜図４）になるとともに、フィルター開口部９においても六角形の開口９ａが形成される。なお、ドリッパーＸ１を大容量化するために、図４中の折り目Ｍｆで示すように、フィルター２の底部はガセット折りされている。
【００３５】
上述のようにして組み立てられた支持体３の第２開口部８には、図２〜図４に示すように、開口８ａを介して対向する１対の第１突出部１１と、開口８ａを介して対向する１対の第２突出部１２と、開口８ａを介して対向する２対の脚部１３と、が形成されている。折り曲げ線Ｌ２，Ｌ３に沿ったブランク板３Ａの折り曲げにより、支持体３が筒状の開状態になると、第１，第２突出部１１，１２と脚部１３は、図２〜図４に示すように第２開口部８の所定位置に配置される。つまり、支持体３の折り畳み状態（図１）における両側の折り曲げ位置（折り目Ｍ１の形成位置）には第１突出部１１が設けられ、その両側の折り曲げ位置（折り目Ｍ１の形成位置）の間には第２突出部１２が設けられ、第１突出部１１と第２突出部１２との間には脚部１３が設けられる。第１，第２突出部１１，１２と脚部１３が、支持体３の第２開口部８にバランス良く配置されるため、ドリッパーＸ１は重心が全体的に低くなって安定化される。なお、脚部１３が不用意に開いてしまうことを防止するため、切り込み１４には部分的に繋ぎ部（刃止め部）を設けておくことが好ましい。
【００３６】
ドリッパーＸ１の使用時、例えばコーヒーを淹れる際には、支持体３を折り畳み状態（図１）から筒状の開状態（図２〜図４）にしてフィルター２を開口させた後、カップ１７上にドリッパーＸ１を載置し、内容物１８（図４）としてレギュラーコーヒー粉をフィルター２内に投入する。フィルター２内にレギュラーコーヒー粉が予め封入されているタイプでは、フィルター２を開封し、支持体３を折り畳まれた状態から筒状の開状態にした後、カップ１７上にドリッパーを載置する。いずれの場合も、開口９ａからフィルター２内に熱湯を注ぐと、抽出されたコーヒーがフィルターを通過してカップ内に溜まることになる。
【００３７】
上記のようにして、開口９ａからフィルター２内に所定量の熱湯を注ぐことにより、フィルター２内の内容物１８から所望の成分が抽出された飲料（コーヒー，紅茶，緑茶等）をカップ１７内に得ることができる。なお、孔１６からカップ１７内の様子が見えるので、熱湯を注ぎながらカップ１７内のコーヒー量を容易に確認することができる。
【００３８】
上記のように支持体３が筒状の開状態にあるドリッパーＸ１をカップ１７上に載置すると、図２〜図４に示すように、第１，第２突出部１１，１２はカップ１７の縁の内側に位置することになり、脚部１３は第２開口部１２よりも外側に位置することになり、脚部１３の先端部分はカップ１７の縁の外側に位置することになる。折り畳み状態（図１）に戻ろうとする支持体３の復元力によって、カップ１７の内側に位置する第１突出部１１と、カップ１７の外側に位置する脚部１３と、でカップ１７の縁が内外から強く押さえ込まれるため、大容量のドリッパーＸ１でも安定した状態に保持される。
【００３９】
第１突出部１１，第２突出部１２又は脚部１３の位置がカップ１７の縁で制限されることにより、支持体３の形状が筒状の開状態に固定され、脚部１３の屈曲した形状（例えば、屈曲位置での係止）により支持体３の移動がカップ１７の縁で制限されるので、カップ１７の存在無しにドリッパーＸ１の形状や位置が固定されることはない。つまり、カップ１７の縁が第２開口部８から脚部１３の屈曲位置までの範囲内にあれば、ドリッパーＸ１の形状を開状態に保ちながら、ドリッパーＸ１をカップ１７上にセットすることができる。したがって、カップ１７の多様性（様々なカップサイズやカップ形状等）に幅広く対応することが可能である。
【００４０】
なお、カップサイズ・カップ形状に応じて、カップ１７の内側に位置する第２突出部１２と、カップ１７の外側に位置する脚部１３と、でカップ１７の縁を内外から押さえ込むようにしてもよい。また、カップサイズ・カップ形状に応じて、第１突出部１１又は第２突出部１２がカップ１７の縁の外側に位置するようにドリッパーＸ１をカップ１７上にセットしてもよい。
【００４１】
第１の実施の形態によれば、筒状の支持体３の第２開口部８に、第１，第２突出部１１，１２とその間に位置する脚部１３とが形成されており、さらに、その脚部１３が支持体３の折り畳み状態において第１突出部１１側（折り目Ｍ１側）から第２突出部１２側へ延びるように形成されているため、第１，第２突出部１１，１２と脚部１３でドリッパーＸ１の重心が全体的に低くなって安定性が向上し、さらに、第１，第２突出部１１，１２のうちの少なくとも一方と脚部１３とでカップ１７の縁が内外から押さえ込まれることにより、カップ１７に対するドリッパーＸ１の装着状態が安定化される。したがって、大容量でも抽出時の安定性が高いドリッパーＸ１を実現することができる。しかも、支持体３の開状態において支持体３の移動を制限するために脚部１３が屈曲した形状を有しているため、カップ１７の縁を外側から押さえ込みながらカップ１７に対しては固定されない状態となる。これにより、カップ１７の縁に対する脚部１３の配置の自由度が高くなるため、様々な口径サイズのカップに対応することが可能となる。
【００４２】
図６に第２の実施の形態に係るドリッパーＸ２の外観を折り畳み状態で示し、図７〜図９にそのドリッパーＸ２の外観を筒状の開状態で示す。図６及び図７はドリッパーＸ２の正面図であり、図８はドリッパーＸ２の側面図であり、図９はドリッパーＸ２の上面図である。また、図１１に第３の実施の形態に係るドリッパーＸ３の外観を折り畳み状態で示し、図１２〜図１４にそのドリッパーＸ３の外観を筒状の開状態で示す。図１１及び図１２はドリッパーＸ３の正面図であり、図１３はドリッパーＸ３の側面図であり、図１４はドリッパーＸ３の上面図である。
【００４３】
ドリッパーＸ２，Ｘ３は、袋状のフィルター２と、そのフィルター２が内部に位置する状態で折り畳み可能に形成された筒状の支持体（スリーブ状の台紙）３と、を有する構成になっている。このドリッパーＸ２，Ｘ３は、支持体３が折り畳み可能であることから携帯に適しており、廃棄の容易な材料で構成可能な簡易構造を有することから使い捨てに適している。つまり、携帯可能な使い捨てタイプでありながら、例えばドリップコーヒーを簡易に淹れることができるという長所を有している。
【００４４】
被抽出成分を有する内容物１８（図９，図１４；例えば、レギュラーコーヒー粉，紅茶の葉，緑茶の葉等）は、使用時にフィルター２内に収納されるか、あるいはフィルター２内に予め封入される。フィルター２の材料としては、袋状にする際の加工性を考慮して、熱接着性を素材に有するシート材料、片面（袋状にしたときの最内層）に熱接着性を有するシート材料等を用いることが好ましい。例えば、ポリオレフィン系（ポリエチレン，ポリプロピレン等），ポリエステル系等の材料からなる透水性不織布、ポリオレフィン系（ポリエチレン，ポリプロピレン等），ポリエステル系等の熱可塑性樹脂を片面（袋状にしたときの最内層）に含有する多層構造の濾紙等が挙げられる。袋状の加工は、上記シート材料を２つ折り又はガセット折りすることにより重ね合わせ、所定形状に熱接着し、裁断・型抜きすることにより行われる。
【００４５】
フィルター２を所定の形状に保ちながら、カップ１７（図７〜図９，図１２〜図１４）上にセットすることを可能としているのが、筒状の支持体３である。この支持体３は、図７〜図９，図１２〜図１４に示すように、一方の開口７ａを構成する第１開口部７と、他方の開口８ａを構成する第２開口部８と、を有しており、支持体３を折り畳み状態（図６，図１１）から筒状の開状態（図７〜図９，図１２〜図１４）にするとフィルター２が開口するように、第１開口部７にフィルター開口部９（図９，図１４）が取り付けられている。このフィルター２の取り付けは、支持体３内にフィルター２を挿入し、支持体３の第１開口部７の縁で外側へ折り返し、その折り返し部分を支持体３の外面に貼り着けることにより行われる。このようにフィルター２を取り付けると、使用時に支持体３を筒状の開状態（図７〜図９，図１２〜図１４）にした際、フィルター２が大きく開口して注湯やドリップに適した状態となる。
【００４６】
ドリッパーＸ２，Ｘ３の支持体３は、図１０，図１５に示す１枚のブランク板３Ｂ，３Ｃの折り曲げ等によりそれぞれ形成されている。図１０，図１５は支持体３の展開図であり、ブランク板３Ｂ，３Ｃは、板状のシート材料を展開図（図１０，図１５）のように打ち抜くことにより形成される。ブランク板３Ｂ，３Ｃの材質は特に限定されるものではないが、例えば、耐水カード紙，アイボリー紙等の厚紙や両面（特に支持体３の内側面）に樹脂（ポリエチレン等）が塗布された厚紙を、シート材料として用いることができる。なお、樹脂が塗布された厚紙でブランク板３Ｂ，３Ｃを構成すると、支持体３に熱湯や湯気がかかっても、その剛性の低下を防止することができる。
【００４７】
ブランク板３Ｂ，３Ｃ（図１０，図１５）は、折り曲げ線Ｌ１を境界とする３つの部分、つまり前面板４と背面板５と糊代片６とで構成されている。前面板４と背面板５には、への字形状に屈曲した切り込み１４と、Ｖ字形状の切欠き１５と、扇形状の孔１６と、折り曲げ線Ｌ２，Ｌ３と、が左右対称にそれぞれ設けられている。切欠き１５は、支持体３の第１開口部７（図６，図１１等）に相当する部分に位置しており、切り込み１４は、支持体３の第２開口部８（図６，図１１等）に相当する部分に位置しており、孔１６はその中間に位置している。折り曲げ線Ｌ１〜Ｌ３の具体例としては、押し罫，切り罫，ミシン罫，リード罫等の罫線が挙げられる。なお、支持体３内にフィルター２を取り付ける際、孔１６を通してフィルター２を押さえることにより、支持体３に対するフィルター２の相対的な位置ズレを効果的に抑えることができる。
【００４８】
支持体３の第２開口部８（図６，図１１等）に相当する部分には、図１０，図１５に示すように、２つの突出部２２と、４つの脚部２３と、が形成されている。つまり、２本の折り曲げ線Ｌ１の位置の中間に突出部２２が形成されており、両側の折り曲げ線Ｌ１側から突出部２２側へ延びるように脚部２３が形成されている。突出部２２と脚部２３とは同一の切り込み１４により形成されている。つまり、切り込み１４によって、脚部２３が支持体３の第２開口部８側に長い傾斜を有する形状に形成されている。切り込み１４を用いることにより、ブランク板３Ｂ，３Ｃを形成する際のシート材料の無駄を抑えることができる。
【００４９】
ドリッパーＸ２の支持体３では、図６等に示すように、切り込み１４において第１開口部７に最も近い位置から突出部２２において第１開口部７から最も遠い位置までの距離と、切り込み１４において第１開口部７に最も近い位置から脚部２３において第１開口部７から最も遠い位置までの距離と、が等しくなっている。言い換えれば、突出部２２と脚部２３において、第２開口部８側の端部が一直線状に形成されている。これにより、ドリッパーＸ２の安定性が向上するとともに、折り畳み状態におけるドリッパーＸ２のコンパクト化も可能となる。
【００５０】
ドリッパーＸ３の支持体３では、図１１等に示すように、切り込み１４において第１開口部７に最も近い位置から突出部２２において第１開口部７から最も遠い位置までの距離が、切り込み１４において第１開口部７に最も近い位置から脚部２３において第１開口部７から最も遠い位置までの距離よりも短くなっている。言い換えれば、突出部２２の第２開口部８側の端部が、脚部２３の第２開口部８側の端部よりも引っ込んだ形状に形成されている。これにより、カップ１７内の飲料（コーヒー，紅茶，緑茶等）に突出部２２が浸らないようにすることが可能となる。
【００５１】
ドリッパーＸ２，Ｘ３の支持体３を組み立てる際には、まず、前面板４と背面板５との境界の折り曲げ線Ｌ１に沿ってブランク板３Ｂ，３Ｃを折り曲げて、前面板４と背面板５とが重なった状態にする。次に、前面板４と糊代片６との境界の折り曲げ線Ｌ１に沿ってブランク板３Ｂ，３Ｃを折り曲げて、糊代片６が背面板５に重なった状態とする。その状態で背面板５に糊代片６を接着すると、ブランク板３Ｂ，３Ｃは筒状となって折り畳み状態の支持体３が得られる。さらに、支持体３内にフィルター２を取り付けると、前述したように折り畳み状態のドリッパーＸ２，Ｘ３（図６，図１１）が得られる。
【００５２】
各折り曲げ線Ｌ１に沿ったブランク板３Ｂ，３Ｃの折り曲げによって、各折り曲げ線Ｌ１の位置に折り目Ｍ１（図１）が形成される。つまり、支持体３の折り畳み状態において、両側の折り曲げ位置が折り目Ｍ１の形成位置となる。したがって、支持体３の折り畳み状態においては、突出部２２が両側の折り目Ｍ１の中間に位置し、脚部２３が両側の折り目Ｍ１側から突出部２２側へ延びるように位置することになる。その折り畳み状態の支持体３（図６，図１１）に対して、左右の折り目Ｍ１を互いに近づく方向に押圧すると、切欠き１５の下端と孔１６の上端及び下端に力が集中する。このため、折り曲げ線Ｌ２，Ｌ３に沿ってブランク板３Ｂ，３Ｃを簡単に折り曲げることができる。
【００５３】
上記折り曲げにより、各折り曲げ線Ｌ２，Ｌ３の位置に折り目Ｍ２，Ｍ３（図７，図８，図１２，図１３）が形成されて、図９，図１４に示すように、支持体３の第１開口部７及び第２開口部８で六角形の開口７ａ，８ａが形成される。そして、支持体３が筒状の開状態（図７〜図９，図１２〜図１４）になるとともに、フィルター開口部９においても六角形の開口９ａが形成される。なお、ドリッパーＸ２，Ｘ３を大容量化するために、図９，図１４中の折り目Ｍｆで示すように、フィルター２の底部はガセット折りされている。
【００５４】
上述のようにして組み立てられた支持体３の第２開口部８には、図７〜図９，図１２〜図１４に示すように、開口８ａを介して対向する１対の突出部２２と、開口８ａを介して対向する２対の脚部２３と、が形成されている。折り曲げ線Ｌ２，Ｌ３に沿ったブランク板３Ｂ，３Ｃの折り曲げにより、支持体３が筒状の開状態になると、突出部２２と脚部２３は、図７〜図９，図１２〜図１４に示すように第２開口部８の所定位置に配置される。つまり、支持体３の折り畳み状態（図６，図１１）における両側の折り曲げ位置（折り目Ｍ１の形成位置）の間には突出部２２が設けられ、その両側の折り曲げ位置と突出部２２との間には脚部２３が設けられる。突出部２２と脚部２３が、支持体３の第２開口部８にバランス良く配置されるため、ドリッパーＸ２，Ｘ３は重心が全体的に低くなって安定化される。なお、脚部２３が不用意に開いてしまうことを防止するため、切り込み１４には部分的に繋ぎ部（刃止め部）を設けておくことが好ましい。
【００５５】
ドリッパーＸ２，Ｘ３の使用時、例えばコーヒーを淹れる際には、支持体３を折り畳み状態（図６，図１１）から筒状の開状態（図７〜図９，図１２〜図１４）にしてフィルター２を開口させた後、カップ１７上にドリッパーＸ２，Ｘ３を載置し、内容物１８（図９，図１４）としてレギュラーコーヒー粉をフィルター２内に投入する。フィルター２内にレギュラーコーヒー粉が予め封入されているタイプでは、フィルター２を開封し、支持体３を折り畳まれた状態から筒状の開状態にした後、カップ１７上にドリッパーを載置する。いずれの場合も、開口９ａからフィルター２内に熱湯を注ぐと、抽出されたコーヒーがフィルターを通過してカップ内に溜まることになる。
【００５６】
上記のようにして、開口９ａからフィルター２内に所定量の熱湯を注ぐことにより、フィルター２内の内容物１８から所望の成分が抽出された飲料（コーヒー，紅茶，緑茶等）をカップ１７内に得ることができる。なお、孔１６からカップ１７内の様子が見えるので、熱湯を注ぎながらカップ１７内のコーヒー量を容易に確認することができる。
【００５７】
上記のように支持体３が筒状の開状態にあるドリッパーＸ２，Ｘ３をカップ１７上に載置すると、図７〜図９，図１２〜図１４に示すように、突出部２２はカップ１７の縁の内側に位置することになり、脚部２３はカップ１７の縁の外側（第２開口部１２よりも外側）に位置することになる。折り畳み状態（図６，図１１）に戻ろうとする支持体３の復元力によって、カップ１７の外側に位置する脚部２３でカップ１７の縁が外から強く押さえ込まれ、さらに、突出部２２の根元部分と脚部２３の根元部分との間で、カップ１７の縁が挟み込まれるため、大容量のドリッパーＸ２，Ｘ３でも安定した状態に保持される。このとき、ドリッパーＸ２，Ｘ３の脚部２３はドリッパーＸ１の脚部１３に比べて太く長いため、カップ１７は脚部２３でしっかりホールドされる。また、ドリッパーＸ１に比べて折り目Ｍ２，Ｍ３の左右の間隔が狭くなっており、それによってフィルター２の開口９ａが広くなるため、お湯が注ぎやすくなるというメリットも得られる。
【００５８】
突出部２２又は脚部２３の位置がカップ１７の縁で制限されることにより、支持体３の形状が筒状の開状態に固定されるので、カップ１７の存在無しにドリッパーＸ２，Ｘ３の形状や位置が固定されることはない。つまり、カップ１７の縁が第２開口部８の所定範囲内にあれば、ドリッパーＸ２，Ｘ３の形状を開状態に保ちながら、ドリッパーＸ２，Ｘ３をカップ１７上にセットすることができる。したがって、カップ１７の多様性（様々なカップサイズやカップ形状等）に幅広く対応することが可能である。
【００５９】
なお、カップサイズ・カップ形状に応じて、カップ１７の内側に位置する突出部２２と、カップ１７の外側に位置する脚部２３と、でカップ１７の縁を内外から押さえ込むようにしてもよい。また、カップサイズ・カップ形状に応じて、突出部２２がカップ１７の縁の外側に位置するようにドリッパーＸ２，Ｘ３をカップ１７上にセットしてもよい。
【００６０】
第２，第３の実施の形態によれば、筒状の支持体３の第２開口部８に、突出部２２とその間に位置する脚部２３とが形成されており、さらに、その脚部２３が支持体３の折り畳み状態において両側の折り曲げ位置（折り目Ｍ１の形成位置）側から突出部２２側へ延びるように形成されているため、突出部２２と脚部２３でドリッパーＸ２，Ｘ３の重心が全体的に低くなって安定性が向上し、さらに、脚部２３でカップ１７の縁が外から押さえ込まれることにより、カップ１７に対するドリッパーＸ２，Ｘ３の装着状態が安定化される。したがって、大容量でも抽出時の安定性が高いドリッパーＸ２，Ｘ３を実現することができる。
【符号の説明】
【００６１】
Ｘ１，Ｘ２，Ｘ３    ドリッパー
２    フィルター
３    支持体
３Ａ，３Ｂ，３Ｃ    ブランク板
４    前面板
５    背面板
６    糊代片
７    第１開口部
８    第２開口部
９    フィルター開口部
７ａ，８ａ，９ａ  開口
１１    第１突出部
１２    第２突出部（突出部）
１３    脚部
１４    切り込み
１５    切欠き
１６    孔
１７    カップ
１８    内容物
２２    突出部
２３    脚部
Ｌ１，Ｌ２，Ｌ３    折り曲げ線
Ｍ１，Ｍ２，Ｍ３，Ｍｆ    折り目
Ｎ    凹部
【図１】
2020130550.tif 000003
【図２】
2020130550.tif 000004
【図３】
2020130550.tif 000005
【図４】
2020130550.tif 000006
【図５】
2020130550.tif 000007
【図６】
2020130550.tif 000008
【図７】
2020130550.tif 000009
【図８】
2020130550.tif 000010
【図９】
2020130550.tif 000011
【図１０】
2020130550.tif 000012
【図１１】
2020130550.tif 000013
【図１２】
2020130550.tif 000014
【図１３】
2020130550.tif 000015
【図１４】
2020130550.tif 000016
【図１５】
2020130550.tif 000017